(57)【要約】【課題】高さ寸法の大きい幕板であっても安定した状態で固定できる床下地構造および連結金具を提供する。【解決手段】床板２と幕板３を支持する床下地構造１であって、床板２を支持する根太材１０と、幕板３を支持する縦材２０と、根太材１０と縦材２０とを連結する連結金具３０とを備えており、根太材１０は、断面ハット形状を呈した長尺部材であり、連結金具３０は、根太材１０に固定される根太材固定部３１と、縦材２０に固定される縦材固定部３２とを備えている。【選択図】図４
2018076700.tif 000002
【特許請求の範囲】
【請求項１】
床板と幕板を支持する床下地構造であって、
前記床板を支持する根太材と、前記幕板を支持する縦材と、前記根太材と前記縦材とを連結する連結金具とを備えており、
前記根太材は、断面ハット形状を呈した長尺部材であり、
前記連結金具は、前記根太材に固定される根太材固定部と、前記縦材に固定される縦材固定部とを備えている
ことを特徴とする床下地構造。
【請求項２】
前記根太材固定部は、前記根太材の一対のフランジにそれぞれ取り付けられる
ことを特徴とする請求項１に記載の床下地構造。
【請求項３】
前記根太材固定部は、互いに平行な一対の第一対向板部と、前記第一対向板部の先端に連続する張出し部と、前記一対の第一対向板部を連結する第一連結板部とを備え、
前記縦材固定部は、互いに平行な一対の第二対向板部と、前記一対の第二対向板部を連結する第二連結板部とを備え、
前記第一連結板部と前記第二連結板部とは連続して直交している
ことを特徴とする請求項１または請求項２に記載の床下地構造。
【請求項４】
前記第一対向板部と前記第二連結板部との間には、前記根太材のフランジから広がるリップ部が挿通する隙間が形成されている
ことを特徴とする請求項３に記載の床下地構造。
【請求項５】
前記縦材の下端部は、床下地が設置される支持面まで延在しており、前記連結金具を介して前記支持面に固定されている
ことを特徴とする請求項１乃至請求項４にいずれか１項に記載の床下地構造。
【請求項６】
床板を支持する断面ハット形状の根太材と幕板を支持する縦材とを連結する連結金具であって、
前記根太材のフランジ部に固定される根太材固定部と、前記縦材に固定される縦材固定部とを備えており、
前記根太材固定部は、互いに平行な一対の第一対向板部と、前記第一対向板部の先端に連続する張出し部と、前記一対の第一対向板部を連結する第一連結板部とを備え、
前記縦材固定部は、互いに平行な一対の第二対向板部と、前記一対の第二対向板部を連結する第二連結板部とを備え、
前記第一連結板部と前記第二連結板部とは連続して直交している
ことを特徴とする連結金具。
【発明の詳細な説明】
【技術分野】
【０００１】
本発明は、床下地構造および連結金具に関する。
【背景技術】
【０００２】
ウッドデッキは、従来、床材と下地材両方が木材にて構成されており、大工によって組み立てられるものが多かったが、近年では、簡単に施工できるように、樹脂製の床材と、金属製の下地材からなるウッドデッキも多くなってきている。このようなウッドデッキは、床板となるウッドパネルと、ウッドパネルを支持する根太材とを備えており、種々の構造のものが知られている（たとえば特許文献１参照）。ウッドデッキの側面には、ウッドパネルの端面や根太材を隠す幕板が設けられている。幕板は、根太材の端部に固定された固定金具を下地として取り付けられている。固定金具は、根太材に固定される固定片と、固定片に一体形成された垂直片とを備えており、幕板は、垂直片にネジ止めされている。
【先行技術文献】
【特許文献】
【０００３】
【特許文献１】特開２００５−２５６３４０号公報
【発明の概要】
【発明が解決しようとする課題】
【０００４】
特許文献１のウッドデッキでは、幕板は、根太材の端部に固定された固定金具の垂直片に取り付けられているので、高さ寸法の小さい幕板しか取り付けることができなかった。すなわち、高さ寸法の大きい幕板を取り付けようとすると、垂直片の延在長さが大きくなるが、垂直片は片持ちであるため剛性が弱くなってしまうため、固定金具が変形したり破損したりする虞があった。
【０００５】
そこで、本発明は、前記の問題を解決するためになされたものであり、幕板を安定した状態で容易に固定できる床下地構造および連結金具を提供することを課題とする。
【課題を解決するための手段】
【０００６】
前記課題を解決するための第一の本発明は、床板と幕板を支持する床下地構造であって、前記床板を支持する根太材と、前記幕板を支持する縦材と、前記根太材と前記縦材とを連結する連結金具とを備えており、前記根太材は、断面ハット形状を呈した長尺部材であり、前記連結金具は、前記根太材に固定される根太材固定部と、前記縦材に固定される縦材固定部とを備えていることを特徴とする床下地構造である。
【０００７】
前記構成の床下地構造によれば、幕板を支持する縦材を別途設けて、連結金具で根太材に連結しているので、幕板を安定した状態で容易に固定することができる。また、縦材の長さ寸法を大きくすれば、高さ寸法の大きい幕板であっても固定できる。
【０００８】
本発明の床下地構造において、前記根太材固定部は、前記根太材の一対のフランジにそれぞれ取り付けられることが好ましい。このような構成によれば、根太材への固定強度が大きくなる。
【０００９】
また、本発明の床下地構造において、前記根太材固定部は、互いに平行な一対の第一対向板部と、前記第一対向板部の先端に連続する張出し部と、前記一対の第一対向板部を連結する第一連結板部とを備え、前記縦材固定部は、互いに平行な一対の第二対向板部と、前記一対の第二対向板部を連結する第二連結板部とを備え、前記第一連結板部と前記第二連結板部とは連続して直交していることが好ましい。このような構成によれば、一対の第一対向板部を根太材に固定し、一対の第二対向板部を縦材に固定することで、根太材と縦材とが強固に連結される。また、張出部を根太材の側面に固定することもできる。
【００１０】
さらに、本発明の床下地構造において、前記第一対向板部と前記第二連結板部との間には、前記根太材のフランジから広がるリップ部が挿通する隙間が形成されていることが好ましい。このような構成によれば、根太材のリップ部が干渉することがないので、切削等の加工をすることなく、連結金具を根太材の端部や側面に固定することができる。
【００１１】
また、本発明の床下地構造において、前記縦材の下端部は、床下地が設置される支持面まで延在しており、前記連結金具を介して前記支持面に固定されていることが好ましい。このような構成によれば、連結金具の汎用性が高く、縦材を支持面に固定するのに別途の連結金具を必要としない。
【００１２】
前記課題を解決するための第二の本発明は、床板を支持する断面ハット形状の根太材と幕板を支持する縦材とを連結する連結金具であって、前記根太材のフランジ部に固定される根太材固定部と、前記縦材に固定される縦材固定部とを備えており、前記根太材固定部は、互いに平行な一対の第一対向板部と、前記第一対向板部の先端に連続する張出し部と、前記一対の第一対向板部を連結する第一連結板部とを備え、前記縦材固定部は、互いに平行な一対の第二対向板部と、前記一対の第二対向板部を連結する第二連結板部とを備え、前記第一連結板部と前記第二連結板部とは連続して直交していることを特徴とする連結金具である。
【００１３】
前記構成の連結金具によれば、幕板を支持する縦材を根太材に容易に連結することができるので、幕板を安定した状態で固定することができる。また、連結される縦材の長さ寸法を大きくすれば、高さ寸法の大きい幕板であっても固定できる。
【発明の効果】
【００１４】
本発明によれば、幕板を安定した状態で容易に固定することができる、といった優れた効果を発揮する。
【図面の簡単な説明】
【００１５】
【図１】本発明の実施形態に係る床下地構造の連結金具を根太材の端部に連結した状態を示した断面図である。
【図２】本発明の実施形態に係る床下地構造の連結金具を根太材の側面に連結した状態を示した断面図である。
【図３】本発明の実施形態に係る床下地構造の連結金具を根太材の端部に連結してさらに縦材を連結した状態を示した斜視図である。
【図４】図３の根太材と連結金具と縦材とを示した分解斜視図である。
【図５】（ａ）は本発明の実施形態に係る連結金具を示した平面図、（ｂ）は正面図、（ｃ）は側面図である。
【図６】本発明の実施形態に係る連結金具を示した斜視図である。
【図７】本発明の実施形態に係る床下地構造の縦材の下端部を支持面に固定した状態を示した斜視図である。
【図８】図７の縦材と連結金具とを示した分解斜視図である。
【図９】本発明の実施形態に係る床下地構造の連結金具を根太材の側面に連結してさらに縦材を連結した状態を示した斜視図である。
【図１０】図９の根太材と連結金具と縦材とを示した分解斜視図である。
【発明を実施するための形態】
【００１６】
本発明の実施形態に係る床下地構造および連結金具について図面を参照しながら詳細に説明する。図１および図２に示すように、本実施形態に係る床下地構造１は、ウッドデッキ等からなる床板２と幕板３とを支持する。ウッドデッキは、たとえば樹脂からなる中空材にて構成されている。床下地構造１は、根太材１０と縦材２０と連結金具３０とを備えている。
【００１７】
根太材１０は、床板２を支持する部材であって、床面に沿って延在している。床面が水平の場合は、根太材１０の水平方向に延在し、床面が傾斜している場合は、根太材１０も傾斜して配置されている。根太材１０は、複数設けられており、隣り合う根太材１０，１０同士が平行になるように配列されている。根太材１０は、大引材４上に載置されて固定されている。大引材４は、根太材１０と直交して配置されており、大引材４と根太材１０は、平面視で格子形状を呈している。大引材４は、床下地構造１を支持する基礎あるいは構造体の表面からなる支持面５に立設された支持脚６上に載置されて固定されている。
【００１８】
図３および図４にも示すように、根太材１０は、断面ハット形状を呈した長尺部材であって、ウエブ１１とフランジ１２とリップ部１３とを備えている。ウエブ１１は、根太材１０の上面を構成する部分であって、床板２が載置される。フランジ１２は、根太材１０の側面を構成する部分であって、一対形成されて互いに対向している。フランジ１２は、ウエブ１１の幅方向両端からそれぞれ垂下している。リップ部１３は、フランジ１２の下端から外側に広がる部分であって、フランジ１２に直交している。
【００１９】
縦材２０は、幕板３を支持する部材であって、根太材１０に連結されている。縦材２０は、根太材１０から垂下し、その下端部は支持面５まで延在している。縦材２０は、根太材１０と同形状の断面ハット形状を呈した長尺部材からなる。縦材２０は、ウエブ２１とフランジ２２とリップ部２３とを備えている。ウエブ２１は、縦材２０の幕板３側の面を構成する部分であって、幕板３が当接される。フランジ２２は、縦材２０の側面を構成する部分であって、ウエブ２１の幅方向両端からそれぞれ直交して屈曲している。リップ部２３は、フランジ２２の先端から外側に広がる部分であって、フランジ２２に直交している。
【００２０】
図５および図６にも示すように、連結金具３０は、根太材１０と縦材２０とを連結する金具である。なお、本実施形態では、縦材２０の下端部を支持面５に固定するのにも用いられる。連結金具３０は、一枚の金属板を折り曲げ加工して一部材で形成されている。連結金具３０は、根太材固定部３１と縦材固定部３２とを備えている。
【００２１】
根太材固定部３１は、根太材１０に固定される部分であって、互いに平行な一対の第一対向板部３３，３３と、各第一対向板部３３の先端に連続する張出し部３４と、一対の第一対向板部３３，３３を連結する第一連結板部３５とを備えている。
【００２２】
第一対向板部３３は、連結金具３０を根太材１０の端部（長手方向端部）に固定する際に、フランジ１２の外面に当接する部位である。第一対向板部３３は、矩形平板形状を呈している。一対の第一対向板部３３，３３の離間距離（内面寸法）は、根太材１０のフランジ１２，１２の外面寸法と同等である。つまり、一対の第一対向板部３３，３３が、根太材１０のフランジ１２，１２を外側から挟む。第一対向板部３３には、複数（２つ）の貫通孔３６ａが形成されている。貫通孔３６ａには、第一対向板部３３をフランジ１２に固定するためのビス３７ａが挿通される。
【００２３】
張出し部３４は、第一対向板部３３の先端で外側に向かって直角に屈曲している。張出し部３４は、矩形平板形状を呈している。一対の張出し部３４，３４は、同一面上に形成されている。張出し部３４は、連結金具３０を根太材１０の側部から側面（フランジ１２）に固定する際に、フランジ１２の外面に当接する部位である。一対の張出し部３４，３４は、一のフランジ１２に当接する。張出し部３４には、貫通孔３６ｂが形成されている。貫通孔３６ｂには、張出し部３４をフランジ１２に固定するためのビス３７ｂが挿通される。
【００２４】
第一連結板部３５は、矩形平板形状を呈している。第一連結板部３５は、一対の第一対向板部３３，３３の基端で直角に屈曲している。第一連結板部３５と一対の第一対向板部３３，３３とで断面コ字状を呈している。第一連結板部３５には、複数（４つ）の貫通孔３６ｃが形成されている。貫通孔３６ｃには、連結金具３０を支持面に固定する際に使う場合に用いられるアンカーボルト（図示せず）またはビス（図示せず）が挿通される。
【００２５】
縦材固定部３２は、縦材２０に固定される部分であって、互いに平行な一対の第二対向板部４３と、一対の第二対向板部４３，４３を連結する第二連結板部４４とを備えている。
【００２６】
第二対向板部４３は、連結金具３０を縦材２０に固定する際に、フランジ２２の外面に当接する部位である。第二対向板部４３は、矩形平板形状を呈している。一対の第二対向板部４３，４３の離間距離（内面寸法）は、縦材２０のフランジ２２，２２の外面寸法と同等である。一対の第二対向板部４３，４３が、縦材２０のフランジ２２，２２を外側から挟む。第二対向板部４３には、複数（２つ）の貫通孔３６ｄが形成されている。貫通孔３６ｄには、第二対向板部４３をフランジ２２に固定するためのビス３７ｄが挿通される。
【００２７】
第二連結板部４４は、矩形平板形状を呈している。第二連結板部４４は、一対の第二対向板部４３，４３の基端で直角に屈曲している。第二連結板部４４と一対の第二対向板部４３，４３とで断面コ字状を呈している。
【００２８】
図５の（ｃ）に示すように、第一連結板部３５と第二連結板部４４とは連続して直交している。第一連結板部３５の下端部は、第一対向板部３３の下端よりも下方に延在している。第一連結板部３５の下端には、第二連結板部４４が直交している。すなわち、第一対向板部３３と第二連結板部４４との間には、隙間Ｓが形成されている。隙間Ｓには、連結金具３０を根太材１０に取り付けた際に、根太材１０のフランジ１２から広がるリップ部１３が挿通する。
【００２９】
次に、連結金具３０を用いて、根太材１０に縦材２０を連結する手順を説明する。初めに、図１に示すように、連結金具３０を根太材１０の端部に固定する場合について説明する。まず、図４に示すように、連結金具３０を根太材１０の端部に移動させて、根太材固定部３１の第一連結板部３５を根太材１０の先端面に当接させるとともに、一対の第一対向板部３３，３３で、根太材１０のフランジ１２，１２を外側から挟ませる（図３参照）。このとき、根太材１０のリップ部１３は外側に広がっているが、隙間Ｓにリップ部１３が入り込むので、根太材１０の先端面を第一連結板部３５に当接させることができる。この状態で、第一対向板部３３の外側からビス３７ａ（図１参照）を打ち込んで、貫通孔３６ａとフランジ１２に挿通させる。これによって、連結金具３０の根太材固定部３１が根太材１０に固定される。
【００３０】
その後、連結金具３０の下部に縦材２０を移動させて、縦材固定部３２の第二連結板部４４の下面に縦材２０の上端面を当接させる（図３参照）。この状態で、第二対向板部４３の外側からビス３７ｄ（図１および図２参照）を打ち込んで、貫通孔３６ｄとフランジ２２に挿通させる。これによって、連結金具３０の縦材固定部３２が縦材２０に固定される。
【００３１】
縦材２０の下端では、図７に示すように、同形状の連結金具３０を用いて、縦材２０を支持面５に固定する。まず、図８に示すように、連結金具３０の第一連結板部３５を支持面５上の所定位置（縦材２０の設置位置）に載置する。上側からビス（図示せず）を打ち込んで、貫通孔３６ｃと支持面５に挿通させる。これによって、連結金具３０が支持面５に固定される。
【００３２】
その後、縦材２０のリップ部２３を隙間Ｓに入り込ませつつ、縦材２０の下端面を第一連結板部３５の上面に当接させる。このとき、一対の第一対向板部３３，３３が、縦材２０のフランジ２２，２２を外側から挟ませる（図７参照）。この状態で、第一対向板部３３の外側からビス３７ｅ（図１および図２参照）を打ち込んで、貫通孔３６ｃとフランジ２２に挿通させる。これによって、縦材２０の下端部が連結金具３０に固定される。したがって、縦材２０の下端部が連結金具３０を介して支持面５に固定される。
【００３３】
連結金具３０を根太材１０の側面からフランジ１２に固定する場合は、図９に示すような構成となる。まず、図１０に示すように、連結金具３０を根太材１０の側面に移動させて、根太材固定部３１の張出し部３４を根太材１０のフランジ１２に当接させる（図９参照）。このとき、根太材１０のリップ部１３は外側に広がっているが、隙間Ｓにリップ部１３が入り込むので、張出し部３４をフランジ１２に当接させることができる。この状態で、張出し部３４の外側からビス３７ｂ（図２参照）を打ち込んで、貫通孔３６ｂとフランジ１２に挿通させる。これによって、連結金具３０の根太材固定部３１が根太材１０に固定される。なお、この場合においても、縦材２０を固定する構造は、前記した構成と同じである。
【００３４】
以上、説明した構成の床下地構造１によれば、幕板３を支持する縦材２０を別途設けて、連結金具３０で根太材１０に連結しているので、幕板３を安定した状態で固定することができる。また、縦材２０の長さ寸法を大きくすることで、高さ寸法の大きい幕板３を固定できる。さらに、縦材２０は、上端部と下端部を二点支持しているので、構造強度が大きい。
【００３５】
さらに、前記構成の連結金具３０を用いれば、縦材２０を根太材１０に容易に且つ強固に連結することができる。特に、連結金具３０を根太材１０の端部に固定する場合には、一対の第一対向板部３３，３３が根太材１０の一対のフランジ１２，１２にそれぞれ取り付けられるので、根太材１０と連結金具３０との固定強度が大きくなる。さらに、第一対向板部３３の先端に張出し部３４が形成されているので、連結金具３０を根太材１０の側面に固定することができる。
【００３６】
また、第一対向板部３３と第二連結板部４４との間に、根太材１０のリップ部１３が挿通する隙間Ｓが形成されているので、リップ部１３と連結金具３０が干渉することがない。したがって、根太材１０に切削等の加工をすることなく、連結金具３０を根太材１０の端部や側面に固定することができる。
【００３７】
さらに、連結金具３０は一枚の金属板を折り曲げ加工にて形成しているので、製造が容易であるとともに、構造強度を大きくできる。
【００３８】
以上、本発明を実施するための形態についてそれぞれ説明したが、本発明は前記の実施形態に限定されず、本発明の趣旨を逸脱しない範囲で、材質、形状や大きさなど適宜設計変更が可能である。たとえば、前記実施形態では、連結金具３０は、一枚の金属板を折り曲げ加工して形成されているが、これに限定されるものではない。複数の金属板を溶接等で接合してもよい。
【００３９】
また、前記実施形態では、幕板３が支持面５の近傍まで取り付けられているがこれに限定されるものではない。床板２から所定の高さ下がった位置に、別途の根太材と床板を設ければ、階段形状のウッドデッキを形成することができる。
【００４０】
さらに、前記実施形態では、床板２は水平に設けられているが、これに限定されるものではない。隣り合う支持脚の長さを変えて根太材を傾斜させれば、スロープ状のウッドデッキを形成することができる。
【符号の説明】
【００４１】
１      床下地構造
２      床板
３      幕板
５      支持面
１０    根太材
１１    ウエブ
１２    フランジ
１３    リップ部
２０    縦材
２１    ウエブ
２２    フランジ
２３    リップ部
３０    連結金具
３１    根太材固定部
３２    縦材固定部
３３    第一対向板部
３４    張出し部
３５    第一連結板部
４３    第二対向板部
４４    第二連結板部
Ｓ      隙間
【図１】
2018076700.tif 000003
【図２】
2018076700.tif 000004
【図３】
2018076700.tif 000005
【図４】
2018076700.tif 000006
【図５】
2018076700.tif 000007
【図６】
2018076700.tif 000008
【図７】
2018076700.tif 000009
【図８】
2018076700.tif 000010
【図９】
2018076700.tif 000011
【図１０】
2018076700.tif 000012